(57)【要約】【課題】筐体下面へのミストの付着を防止する。【解決手段】筐体４の内部空間に設けられた略円筒状の内円筒部材５下部に設けられた環状の第一の底板８と、第一の底板８の孔径よりも大きい外径を有する略円形の第二の底板９から構成された第二の吹出口３を備え、第二の吹出口３から第一の底板８外縁に向かって送風し第一の底板８下面に空気層を形成することで、筐体４の下部に設けられた開口と内円筒部材５の外周部から構成された第一の吹出口２の送風と第一の底板８の下方空間との静圧差で生じる対流によるミストの第一の底板８下面への付着を防止できる。【選択図】図２
2019066134.tif 000002
【特許請求の範囲】
【請求項１】
空気の流れを発生させる送風機と、
下部に略円形の開口を設けた筐体と
前記筐体と前記送風機を連通する第一の吸込口と、
前記筐体の内部空間に設けられ、前記開口内部に略同心円上に配置された略円筒状の内円筒部材と、
前記内円筒部材に設けられ、前記筐体と前記内円筒部材を連通する第二の吸込口と、
前記開口と前記内円筒部材の外周面で形成された環状の第一の吹出口と、
前記内円筒部材に設けられた噴霧ノズルと、
前記内円筒部材の下部に設けられた略円形の第一の底板と、
前記第一の底板に設けられ、前記第一の底板の中心を原点として略円形に開口した底板開口と、
前記第一の底板の下方の空間に設けられ、前記底板開口の略同心円上にあり、前記底板開口の直径よりも大きい外径を有する略円形の第二の底板と、
前記第一の底板の下面と第二の底板の上面から形成された第二の吹出口と、
を備えたことを特徴とする冷却装置。
【請求項２】
前記第二の吹出口の開口面積が第一の吹出口の開口面積よりも狭いことを特徴とする請求項１に記載の冷却装置。
【発明の詳細な説明】
【技術分野】
【０００１】
本発明はファンと噴霧ノズルを備えた冷却装置に関するものである。
【背景技術】
【０００２】
従来、この種の冷却装置は、ファンが吹き出した気流をガイドケーシングで整流し、霧を搬送している。（例えば特許文献１）
図１は、特許文献１に記載された従来の冷却装置を示すものである。従来の冷却装置は、図１に示すように、送風機１０１と、送風機１０１の周囲に配置された筐体１０２と、筐体１０２下面に設けられた吹出口１０３および吸込口１０４と、送風機１０１と吹出口１０３を接続し、送風機１０１が吹き出した気流を整流するためのガイドケーシング１０６と、吹出口１０３から吹き出した気流にミストを噴霧するための噴霧ノズル１０５を有する。
【先行技術文献】
【特許文献】
【０００３】
【特許文献１】特開２００７−０５１８１６号公報
【発明の概要】
【発明が解決しようとする課題】
【０００４】
しかしながら、従来の構成では送風機から出た気流と冷却装置の吸込口下方の空間との圧力差で生じる対流によって、ミストが巻き上がり筐体下面にミストが付着する課題を有していた。
【０００５】
加えて、外乱によって筐体を横切るような気流が生じた場合も、噴霧ノズルから噴霧されたミストがその気流の流れに乗り筐体下面を流れるため、筐体下面にミストが付着して同様の課題が生じていた。
【０００６】
結果として、冷却装置からの液だれや冷却装置の筐体表面に水垢やスケールが発生し、不快感の増大や美観を損ねる等の問題が生じていた。
【０００７】
本発明は、従来の課題を解決するもので、気流を生じさせることで筐体下面へのミストの付着を防止する冷却装置を提供することを目的とする。
【課題を解決するための手段】
【０００８】
従来の課題を解決するために、本発明の冷却装置は、空気の流れを発生させる送風機と、下部に略円形の開口を設けた筐体と、筐体と送風機を連通する第一の吸込口と、筐体の内部空間に設けられ、開口内部に略同心円上に配置された略円筒状の内円筒部材と、内円筒部材に設けられ、筐体と内円筒部材を連通する第二の吸込口と、開口と内円筒部材の外周面で形成された環状の第一の吹出口と、内円筒部材に設けられた噴霧ノズルと、内円筒部材の下部に設けられた略円形の第一の底板と、第一の底板に設けられ、第一の底板の中心を原点として略円形に開口した底板開口と、第一の底板の下方の空間に設けられ、底板開口の略同心円上にあり、底板開口の直径よりも大きい外径を有する略円形の第二の底板と、第一の底板の下面と第二の底板の上面から形成された第二の吹出口としたものである。
【０００９】
これによって、第一の吹出口から送風されるミストを含んだ気流が対流により第一の底板近傍に流れても、気流に含まれるミストは、第二の吹出口からの送風で生じる第一の底
板の中心から外側に向かって流れる空気層により第一の底板に付着することなく第一の底板外縁に流れる。
【００１０】
また、本発明の冷却装置は、第二の吹出口の開口面積が第一の吹出口の開口面積よりも狭いことを特徴とする。
【００１１】
これによって、外乱による気流の流れが特に強く、冷却装置を横切る様に気流が生じたときでも、第二の吹出口からの吹出し気流の流速が速くなり外乱に対する抗力が増加するため、外乱に流されること無く第一の底板の中心から外側に向かって流れる空気層を形成する。
【発明の効果】
【００１２】
底板全面に渡り、底板の下面に底板の中心方向から外縁に向かって流れる空気層を形成することで、第一の吹出口から吹き出した気流と第一の底板の下方空間との静圧差で生じた対流による底板へのミストの付着および外乱によって筐体下面にミストを含む気流が横切ったときに生じる底板へのミストの付着を防止することができる。
【図面の簡単な説明】
【００１３】
【図１】特許文献１に記載された従来の冷却装置を示す図
【図２】本発明の実施の形態１における冷却装置の側面断面図
【図３】本発明の実施の形態１の第二の底板上面を略円錐形状にした第二の吹出口の詳細図
【図４】本発明の実施の形態１における第二の送風機および第三の吸込口を設けた側面断面図
【発明を実施するための形態】
【００１４】
第１の発明は、空気の流れを発生させる送風機と、下部に略円形の開口を設けた筐体と前記筐体と前記送風機を連通する第一の吸込口と、前記筐体の内部空間に設けられ、前記開口内部に略同心円上に配置された略円筒状の内円筒部材と、前記内円筒部材に設けられ、前記筐体と前記内円筒部材を連通する第二の吸込口と、前記開口と前記内円筒部材の外周面で形成された環状の第一の吹出口と、前記内円筒部材に設けられた噴霧ノズルと、前記内円筒部材の下部に設けられた略円形の第一の底板と、前記第一の底板に設けられ、前記第一の底板の中心を原点として略円形に開口した底板開口と、前記第一の底板の下方の空間に設けられ、前記底板開口の略同心円上にあり、前記底板開口の直径よりも大きい外径を有する略円形の第二の底板と、前記第一の底板の下面と第二の底板の上面から形成された第二の吹出口とを備えたことを特徴とする。
【００１５】
以上の構成において、送風機からの送風は、第二の吸込口と第一の吹出口に分流される。第二の吸込口に流入した空気は第二の底板に衝突して第二の吹出口を通り第一の底板に沿って第一の底板外縁に向かって半径方向に流れる。
【００１６】
これにより、第一の底板全面にわたって第一の底板の中心から外側に向かって流れる空気層が形成される。そのため、第一の吹出口からの吹出気流と第一の底板の下方空間との静圧差から生じる上方に巻き上がるような対流に乗り、内円筒部材下部を浮遊するミストは、第一の底板に付着せずに第一の底板外縁に向かって流される。
【００１７】
また、第二の底板には第二の吹出口から流出する空気が第二の底板の下面近傍を浮遊するミストを引き込み第一の底板外縁に向かって流すためミストが付着することはない。
【００１８】
よって、底板全面に渡り、底板の下面に底板の中心方向から外縁に向かって流れる空気
層を形成することで、第一の吹出口から吹き出した気流と第一の底板の下方空間との静圧差から生じる対流による第一の底板へのミストの付着を防止することができる。
【００１９】
第２の発明は、第二の吹出口の開口面積が第一の吹出口の開口面積よりも狭いことを特徴とする。
【００２０】
以上の構成において、冷却装置を横切る様に気流が生じた場合、第一の吹出口から流れるミストを含む空気が第二の底板の下面を流れる。
【００２１】
この時、第二の吹出口の吹出し面積は小さいため、吹出される気流の速度は増加し、外乱に対する抗力が大きくなる。
【００２２】
このため、第一の底板表面を底板中心から外縁へ流れる空気層は外乱に乱されることなく形成される。
【００２３】
よって、第一の底板を横切る様に流れる気流に含まれるミストは底板表面に形成された空気層によって底板に付着せずに流れる。
【００２４】
これにより、外乱による気流の流れが強く冷却装置を横切る様に気流が生じる場合でも、底板全面に渡り、底板の下面に底板の中心方向から外縁に向かって流れる空気層を形成することで、底板へのミストの付着を防止することができる。
【００２５】
以下、本発明の実施の形態について、図面を参照しながら説明する。なお、この実施の形態によって本発明が限定されるものではない。
【００２６】
＜実施の形態１＞
図２を参照しながら、本発明の第１の実施の形態における冷却装置について説明する。
【００２７】
図２は本発明の第１の実施の形態における冷却装置の側面断面図を示すものである。
図２において、冷却装置は、空気の流れを発生させる送風機１１と、下部に略円形の開口を設けた筐体４と、筐体４と送風機１１を連通する第一の吸込口６と、筐体４の内部空間に設けられ、開口内部に略同心円上に配置された略円筒状の内円筒部材５と、内円筒部材５に設けられ、筐体４と内円筒部材５を連通する第二の吸込口７と、開口と内円筒部材５の外周面で形成された環状の第一の吹出口２と、内円筒部材５に設けられた噴霧ノズル１と、内円筒部材５の下部に設けられた略円形の第一の底板８と、第一の底板８に設けられ、第一の底板８の中心を原点として略円形に開口した底板開口１０と、第一の底板８の下方の空間に設けられ、底板開口１０の略同心円上にあり、底板開口１０の直径よりも大きい外径を有する略円形の第二の底板９と、第一の底板８の下面と第二の底板９の上面から形成された第二の吹出口３を備えている。
【００２８】
以上の構成において、送風機１１からの送風は、第二の吸込口７と第一の吹出口２に分流される。第二の吸込口７に流入した空気は第二の底板９に衝突して第二の吹出口３を通り第一の底板８に沿って第一の底板８外縁に向かって半径方向に流れる。
【００２９】
これにより、第一の底板８全面にわたって第一の底板８の中心から外側に向かって流れる空気層が形成される。そのため、第一の吹出口２からの吹出気流と第一の底板８の下方空間との静圧差から生じる上方に巻き上がるような対流に乗り、内円筒部材５下部を浮遊するミストは、第一の底板８に付着せずに底板外縁に向かって流される。
【００３０】
また、第二の底板９には第二の吹出口３から流出する空気が第二の底板９の下面近傍を
浮遊するミストを引き込み第一の底板８外縁に向かって流すためミストが付着することはない。
【００３１】
よって、底板全面に渡り、底板の下面に底板の中心方向から外縁に向かって流れる空気層を形成することで、第一の吹出口２から吹き出した気流と第一の底板８の下方空間との静圧差から生じる対流による底板へのミストの付着を防止することができる。
【００３２】
尚、図３の様に第二の底板上面を略円錐形状にすることで、第二の吸込口７から内円筒部材５内部に流入した鉛直下向きに流れる空気は底板上面に形成された略円錐の子午面に沿って流れ、流れに乱れが生じることなく第一の底板８の外縁へ向かう流れとなる。
【００３３】
これによって、形成される空気層の強度が増すため、底板へのミストの付着をより防ぐことができる。
【００３４】
尚、図４の様に第一の底板の底板開口１０上部に第二の送風機１２を設け、かつ内円筒部材５の上面に設けられ筐体４を貫通するような第三の吸込口１３を設けることで、第二の吹出口３から流出する空気の量を増加することができるため強固な空気層を形成できる。
【００３５】
これによって、より強い外乱に対しても空気層を形成することができ、底板へのミストの付着を防止することができる。
【００３６】
＜実施の形態２＞
実施の形態２の冷却装置は、第二の吹出口３の開口面積が第一の吹出口２の開口面積よりも狭いことを特徴とする。
【００３７】
以上の構成において、冷却装置を横切る様に気流が生じた場合、第一の吹出口２から流れるミストを含む空気が第二の底板９の下面を流れる。
【００３８】
この時、第二の吹出口３の吹出し面積は小さいため、吹出される気流の速度は増加し、外乱に対する抗力が大きくなる。
【００３９】
このため、第一の底板８表面を底板中心から外縁へ流れる空気層は外乱に乱されることなく形成される。
【００４０】
よって、第一の底板８を横切る様に流れる気流に含まれるミストは底板表面に形成された空気層によって底板に付着せずに流れる。
【００４１】
これにより、外乱による気流の流れが強く冷却装置を横切る様に気流が生じた場合でも、第一の底板８全面に渡り、底板の下面に底板の中心方向から外縁に向かって流れる空気層を形成することで、第一の底板８へのミストの付着を防止することができる。
【産業上の利用可能性】
【００４２】
以上のように、本発明にかかる冷却装置は、筐体へのミストの付着を防ぐことが可能となるので、工場やサーバー室の閉空間の調湿に用いる噴霧装置にも適用できる。
【符号の説明】
【００４３】
１    噴霧ノズル
２    第一の吹出口
３    第二の吹出口
４    筐体
５    内円筒部材
６    第一の吸込口
７    第二の吸込口
８    第一の底板
９    第二の底板
１０  底板開口
１１  送風機
１２  第二の送風機
１３  第三の吸込口
【図１】
2019066134.tif 000003
【図２】
2019066134.tif 000004
【図３】
2019066134.tif 000005
【図４】
2019066134.tif 000006